(57)【要約】装置において少なくとも２つの個別の電気音響トランスデューサ（３，４）を保持する保持デバイス。この保持デバイスは、１つの装置において少なくとも２つの別個のトランスデューサ（３，４）の接合実装の補助として構成される、少なくとも２つのトランスデューサ（３，４）のための別個のトランスデューサ収納スペース（１５，１６）をもって少なくとも２つのトランスデューサ（３，４）に共通した保持構成部（２）を有する。
2006519550.tif 000002
【特許請求の範囲】
【請求項１】
１つの装置において少なくとも２つの別個の電気音響トランスデューサを保持する保持デバイスであって、当該保持デバイスは、前記少なくとも２つの電気音響トランスデューサに共通の保持手段を有し、当該保持手段は、各トランスデューサにつき別個のトランスデューサ収納空間を有し、当該保持デバイスは、当該装置において前記少なくとも２つの別個の電気音響トランスデューサの連結実装のための予備手段として構成されている、デバイス。
【請求項２】
請求項１に記載の保持デバイスであって、前記保持手段は、前記少なくとも２つの別個の電気音響トランスデューサを並べて収容するためのトランスデューサ収納空間とともに配されている、デバイス。
【請求項３】
請求項２に記載の保持デバイスであって、前記トランスデューサ収納空間を持つ保持手段は、前記少なくとも２つのトランスデューサのトランスデューサ軸が互いに逆の方向に延びるように前記少なくとも２つのトランスデューサを保持するよう構成されている、デバイス。
【請求項４】
請求項２に記載の保持デバイスであって、前記トランスデューサ収納空間を持つ保持手段は、前記少なくとも２つのトランスデューサのトランスデューサ軸が同じ方向に延びるように前記少なくとも２つのトランスデューサを保持するよう構成されている、デバイス。
【請求項５】
請求項１に記載の保持デバイスであって、前記トランスデューサ収納空間を持つ保持手段は、２つのトランスデューサを背中合わせに収容するように構成されている、デバイス。
【請求項６】
請求項１に記載の保持デバイスであって、前記保持手段は、ベース部とこのベース部に接続するよう構成された少なくとも１つの閉鎖部とを有する、デバイス。
【請求項７】
請求項６に記載の保持デバイスであって、前記閉鎖部及び前記ベース部は、熱可塑性合成樹脂から少なくとも一部が形成され、これらの相互接続のために熱的溶解が施される、デバイス。
【請求項８】
請求項６に記載の保持デバイスであって、前記保持手段の部分の少なくとも１つは、前記トランスデューサ収納空間の１つにおいて収容されるトランスデューサの１つを局部的に把持するためのフック部を有する、デバイス。
【請求項９】
請求項１に記載の保持デバイスであって、前記保持手段は、当該装置において前記保持手段を固定するために少なくとも一方の側において両面接着薄膜が設けられている、デバイス。
【請求項１０】
請求項１に記載の保持デバイスであって、前記保持手段は、導電接続手段が前記トランスデューサへ至る元である電気的接触表面を有する接触領域を有する、デバイス。
【請求項１１】
装置であって、当該装置に実装される少なくとも２つの別個の電気音響トランスデューサを有し、請求項１ないし１０のうちいずれか１つに記載の保持デバイスを有する装置。
【発明の詳細な説明】
【技術分野】
【０００１】
本発明は、装置に実装される少なくとも２つの個別の電気音響トランスデューサを有する装置に関する。
【０００２】
本発明はさらに、１つの装置において少なくとも２つの個別の電気音響トランスデューサを保持する保持デバイスに関する。
【背景技術】
【０００３】
実用上、色々な機器に２つ以上の電気音響トランスデューサを組み込むことが必要な場合がある。この代表的な例は、移動電話機によって形成され、しばしば２つの電気音響トランスデューサ好ましくは電磁式の又は電気力学的なトランスデューサが用いられる。それらのうちの１つは、真近にある耳に対し音声信号を再生するのに用いられ、もう１つは、制限のない範囲ですなわち耳から何センチか離れて呼出音や音楽信号などの信号を再生するのに用いられる。前者のトランスデューサは、耳カバー型トランスデューサを指すことがあり、後者のトランスデューサは、ハンドフリー型トランスデューサを指すことがある。以下では、こうした用語を簡明とするために用いるが、これが限定的なものと解釈するべきではない。何となれば、本発明は、ラウドスピーカとして構成されるような電気音響トランスデューサが設けられた装置及び保持デバイスを指向するものであるが、他の電気音響トランスデューサすなわちマイクロフォンを備えた装置及び保持デバイスも等しく含まれうるからである。
【０００４】
耳カバー型トランスデューサ及びハンドフリー型トランスデューサの実現に関する特許文献ＷＯ ０１／１７２０１
Ａ２からは、個別のトランスデューサすなわち単一の部品として各トランスデューサをトランスデューサ製造業者において製造することが知られており、複数のトランスデューサが大量包装（bulk package）で装置の製造業者へ運搬され、トランスデューサがその後それぞれの装置又は装置のハウジングに個々の部品として再び実装される。装置の２つのトランスデューサを、耳カバー型トランスデューサを実現するために逆相で供給し、ハンドフリー型トランスデューサを実現するために同相で供給することは知られている。したがって、この既知の方策は、トランスデューサの運搬及び装置の製造業者におけるトランスデューサの組み込みのために比較的に多大な費用がかかり、当該装置の製造業者にとっては不利であるので、せめてこうした費用を減らす要求がある。
【発明の開示】
【発明が解決しようとする課題】
【０００５】
本発明は、上述した望ましくない状況の対策を提供し、また、１つの装置又は当該装置の１つのハウジングにおける少なくとも２つのトランスデューサの運搬及び実装についての方策を提供し、一方では簡単で汎用性がある安価な態様でトランスデューサを製造することを可能にするとともに、他方では装置製造業者への運搬及びこの装置製造業者における実装において簡単な物理管理、取り扱い及び実装を維持することをその目的としている。
【課題を解決するための手段】
【０００６】
上記目的を達成するため、本発明による装置には、発明の特徴が与えられ、本発明による装置を次のように特徴づけることができる。
【０００７】
すなわち、当該装置に実装される少なくとも２つの個別の電気音響トランスデューサを有する装置であって、当該少なくとも２つの個別の電気音響トランスデューサを保持するよう設けられ構成された保持デバイスを有するものであり、この保持装置は、前記２つの電気音響トランスデューサに共通の保持手段を有し、当該保持手段は、各トランスデューサにつき別個のトランスデューサ収納空間を有し、当該保持デバイスは、当該装置において前記少なくとも２つの別個の電気音響トランスデューサの連結実装のための予備手段として構成される。
【０００８】
上記目的を達成するため、さらに本発明による保持デバイスに発明の特徴が付与されるものであり、本発明による保持デバイスを次のように特徴づけることができる。
【０００９】
すなわち、１つの装置において少なくとも２つの別個の電気音響トランスデューサを保持する保持デバイスであって、当該保持デバイスは、前記少なくとも２つの電気音響トランスデューサに共通の保持手段を有し、当該保持手段は、各トランスデューサにつき別個のトランスデューサ収納空間を有し、当該保持デバイスは、当該装置において前記少なくとも２つの別個の電気音響トランスデューサの連結実装のための予備手段として構成されている、デバイスである。
【００１０】
本発明による装置及び本発明による保持デバイスにおいては、本発明により設けられる収納によって単一のモジュール又は構成ユニット内へ複数のトランスデューサが一体化されるので、当該トランスデューサを機器の製造業者へ運搬すること、トランスデューサを取り扱ってこれらを装置製造業者において製造されるべき装置のハウジング又は実装プレートに適用すること、及びこれらをそれぞれの装置に組み込むことが簡単になるという利点が奏される。他の利点は、保持手段の形状及び寸法をトランスデューサの寸法とは独立してほぼ同じままとすることができるので、トランスデューサの特性に対して異なる条件が課せられそれらの寸法に関してトランスデューサが改変されたとしても装置又はハウジングに変更の必要がない、という点である。個々のトランスデューサは、トランスデューサ製造業者で製造されることになるので、トランスデューサは、個別のトランスデューサとして機械化された大量生産処理にて数多く低コストにして都合良く製造可能となる。かかるトランスデューサは、種々の寸法又は直径で製造され、その後当該保持手段に挿入され、そしてその保持手段によって均一の外部寸法の構成部品に組み合わされる。要求されるのは、同じ外部寸法で保持手段を設けることだけであるが、トランスデューサに対しては異なるサイズの収納スペースを伴い、かかる保持手段は、合成樹脂部として簡単かつ安価な態様で製造可能となる。さらに、個々のトランスデューサがそれらの製造の後に予めテスト可能であるという事実によって、保持デバイスに正常に機能する異常のないトランスデューサだけが都合良く収容されるので、もはや欠陥品が出る可能性がない。トランスデューサは、例えばクリック動作若しくはスナップ動作により、又は当該収納スペースがスライドタイプの構成のものである場合はスライド移動により、保持手段のそれぞれの収納スペースに導入可能とされ、全く同一の保持手段においてトランスデューサを保持する色々な技術も適用可能となるものとされる。例えば、ハンドフリー型トランスデューサをスナップフックにより固定してもよく、また、耳カバー型トランスデューサをロック部によって固定してもよい。
【００１１】
保持手段におけるトランスデューサの配置は、トランスデューサを保持手段において互いに隣り合うように設け、それらトランスデューサの軸が同一方向又は互いに逆の方向に延びるように選定すると有利である。また、１つの保持手段において２つのトランスデューサを背中合わせに配することも考えられるので、より大なる構成高さのユニットも得られるが、基底表面はより小さくなる。トランスデューサの軸は互いに平行に延びるのが有利であるが、これに代わり互いにある角度をなすようにしてもよい。
【００１２】
トランスデューサを固定するために閉鎖部が用いられる場合、この閉鎖部は色々な態様で保持手段のベース部に接続されるようにしてもよい。例えばこの閉鎖部は、例えば熱的変形又は溶解によって、特にレーザ溶接、可能であれば超音波溶接によって或いは接着によって、当該ベース部と接続される個別の構成部とすることができる。このような接続ではなく、代替の接続を適用してもよく、スナップ接続又はロック接続が挙げられる。また、例えばリベットタイプのピン又は端部が熱により変形される合成樹脂のペグにより強制的な連結接続を設けることも可能である。これに加え、閉鎖部が、ヒンジ、特に合成樹脂構造の場合におけるいわゆるフィルムヒンジを介してベース部に接続されると有利である。ベース部に対する閉鎖部の最終的な固定は、かかるヒンジによる結合の場合にスナップ素子によっても実現可能であり、或いは、例えばベース部から立ち上がるペグを適用してもよく、その上に閉鎖部が通りペグが閉鎖部の孔に入るようにしてもよい。
【００１３】
収納スペースは、概して閉鎖された空間としてもよいが、必ずしも閉じられた構成のものとしなくてもよい。好ましい収納スペースは、多かれ少なかれ開口している。これは実際にトランスデューサの膜に対して音が通過することを可能にするために部分的に必要なのである。この点において、例えば、音声通過の側における収納スペースの限界が単に環状壁によって作られる。さらに、スナップ接続手段による簡単な方法でベース部すなわち底部の収納スペースに少なくとも１つのトランスデューサを固定させることが好ましい場合があるので、環状壁も覆い壁も当該収納スペースを境界づけるのに必要ではない。したがって、ベース部又は閉鎖部は、トランスデューサの周りを局部的に把持しこれによりこのトランスデューサをその収納スペースにおいて保持するフック部が形成されるように設けられる。このフック部は、トランスデューサ収納スペースの一方側においてベース部に配されるようにしてもよいが、反対に、有利な実施例においては、閉鎖部はトランスデューサをその中に保持して固定するために隣接するトランスデューサ収納スペースに関連づけられており、当該一方の収納スペースにおいて保持されたトランスデューサを把持し、もってフック部に加えてこの一方のトランスデューサの固定をなすことができる。重複部はさらに、例えば開口の形態で位置決め部を有し、トランスデューサが突起をもってこの開口に入りこれによりこの重複部及び上述したフック部によってベース部に対して移動できないように保持されることができるようにすると有利である。
【００１４】
保持手段及びこれに実装されたトランスデューサからなるアセンブリは、当該保持手段に少なくとも一方の側の表面上に両面接着薄膜が設けられる装置において保持可能となる。
【００１５】
保持手段はさらに、最適位置においてトランスデューサの接触を簡単にするという有利な可能性をもたらす。かかる最適位置では、トランスデューサの電気的接触表面を有する単一の共通接触領域を設けることができ、導電接続手段は、これら電気的接触表面からトランスデューサの収納スペースへ至るものとされる。この接触領域は、製造業者の意向に応じて保持手段における所望の位置に共通領域として設けられるようにしてもよい。また、これに加え、それぞれのトランスデューサに対する２つの接触表面に代えて、全てのトランスデューサ全体に対し１つの共通接触表面（接地電極）を提供することがここでは考えられるので、２つのトランスデューサの場合に３つから２つへ接触表面の数が減る。上述した閉鎖部が開口側の反対に配される場合、この閉鎖部の外側に接触表面が設けられると有利であり、この場合トランスデューサの膜側が存在しこれにより十分大きな表面領域を有することができる。但しこれに代えて、共通接触領域においてベース部上に接触表面を収容することも可能である。
【発明を実施するための最良の形態】
【００１６】
以下、本発明を好適実施例に基づき添付図面を参照して詳しく説明するが、これら実施例に限定されるものではない。
【００１７】
図１ないし図５に示される本発明による第１実施例の保持装置１は、小さなラウドスピーカ筺体の形態を採る２つの電気音響トランスデューサ３，４の保持手段２を基本的に有する。この場合の２つのトランスデューサ３，４は、概ね１３ｍｍの直径を有し、実装状態で同じ方向における放出音声（図１の矢印５及び６参照）を有する。すなわち、２つのトランスデューサ３，４のトランスデューサ軸は同じ方向に延びている。図１及び図２に示されるように、保持手段２はハウジング７に２つのトランスデューサ３，４と共に組み込まれて、詳細は示さない装置、すなわち特定するならば移動電話機の一部を形成するようにしている。ハウジング７は、ここでは底部９を持つホルダ部８を有し、当該底部からは所定の相互の距離だけ突起が立ち上がって保持手段２のシート１１を提供するようにしている。その上側では、ハウジング７のホルダ部８はリッド（蓋）１２によって閉じられる。ハウジング７のホルダ部８の底部９は、２つのトランスデューサ３，４のための２つの音声出力開口部１３，１４を有する。合成部品は、適宜、従来の方法によりこれら音声出力開口部１３，１４の内側にトランスデューサ３，４の前面に設けることができる（図面には示されていない）。
【００１８】
トランスデューサ３，４は、例えばいわゆる耳カバー型トランスデューサ３及びハンドフリー型トランスデューサ４とすることができ、耳カバー型トランスデューサ３は耳に対して動作がアクティブになるのに対し、ハンドフリー型トランスデューサ４も、特にその開放空間において呼出信号を出力するために耳からある明確な距離をもって動作する。これらトランスデューサ３，４の各々は、保持手段２において各自の収納スペース１５，１６を有する。各トランスデューサ３，４は、図３及び図４から極めて明確に分かるように例えば符号１８が付された合成樹脂リングを有し、これは従来の態様のように、例えば符号１７（図１参照）が付された自らのキャビティ（空洞部）を取り巻いている。合成樹脂リング１８には、穴のあけられた金属カバー内において反対側に位置づけられ図１ないし図５には詳細が示されていない膜の後側に出口を形成するために図３及び図４に示されるようなエアーベント（通気孔）１９を設けるようにしてもよい。さらに、図３、図４及び図５は、合成樹脂リング１８の円周において凹部状に設けられた穴あき金属カバー２０のエンボス部２１を示しており、このエンボス部２１は、例えば４の付された該当トランスデューサ及び関連する合成樹脂リング１８からなる小型アセンブリを達成することに役立つものである。さらに、図４から特に見てとれるように、他の例えば小さい方のトランスデューサ３は、ハウジングのホルダ部８の底部９における音声出力開口部１３を通じて、また保持手段２における位置合わせされた開口部２３を通じて見てとることができる穴のあいた金属カバー２２を有する。同様に、ハウジング底部９における音声出力開口部１４と位置合わせされるように、ハンドフリートランスデューサ４のために位置合わせされた開口部２４も保持手段２に設けられる。
【００１９】
図１から図５において分かるように、保持手段２のベース部２５にはこれら２つの開口部２３，２４が設けられ、ベース部２５は、ほぼ平面状となっており、直立壁２６は、一方側すなわち耳カバー型トランスデューサ３の収納スペース１５の領域に設けられ、この壁部は、概ね円形に、線状延長リムとともにハンドフリー型トランスデューサ４の収納スペース１６に関連づけられたフック部２７とは全く反対の位置に延びている。上側のほぼ平面状閉鎖部２９は、この直立壁２６とジョイント２８を介して接続される。この閉鎖部は、例えば４つの接触表面３０，３１（耳カバー型トランスデューサ３に対して）及び３２，３３（ハンドフリー型トランスデューサ４に対して）を支持する。重複部３６は、図１及び図２から、最も良いのは図４から分かるように段差３５を経て接触表面３０ないし３３が形成される接触領域３４に接続し、ハンドフリー型トランスデューサ４を収納スペース１６に固定するようにフック部２７の反対の領域においてハンドフリー型トランスデューサ４に対し収納スペース１６において把持する。加えて、重複部３６は、図２及び図４から特に見てとれるように、トランスデューサ４、厳密にはその合成樹脂リング１８において対をなす位置決め素子３８として設けられた位置決めラグ（突出部）が組み立てられた状態で係合する位置決め部３７として設けられた開口部を有する。
【００２０】
さらに例えば図２から明らかなように、導電接続手段３９，４０は、例えば接触表面３０，３２から閉鎖部２９を通じて２つのトランスデューサ３，４の収納スペース１５，１６内へ延び、これらトランスデューサ３，４の接続パッド（細部は示されていない）との電気的接続を達成するようにしている。例えば接触表面３０，３２（図２参照）は、今度は接触スプリング４１，４２によって接触され、これらスプリングは、ハウジング７のカバー１２の内側においてその遠隔端部を支え、そこで残りの回路との接続をなすための電気的接続ラインに接続される（ここではあまり重要ではなく、図には詳しく示されない従来の態様による）。また、接触スプリング４１，４２は、保持手段２を保つように機能をしており、これにより保持手段２のベース部２５が突起部１０の間において緊密にこのシート部において保持される可能性にかかわりなく、ハウジング７におけるそのシート部１１において押し下げられる２つのトランスデューサ３，４の連結組み付けの補助をなす。
【００２１】
保持手段２すなわちベース部２５及び閉鎖部２９は、好ましくは一体的合成樹脂部からなり、接合部２８は、特に図２を参照されるように、いわゆるフィルムヒンジによって形成される。原理的には、接合部２８として従来のヒンジなどを設けることも考えられる。また、接合部２８をなくすこともできる。すなわち、この場合の閉鎖部２９は、ベース部２５から分離して製造された部品となる。これらの部分２５，２９が合成樹脂から作られる場合、閉鎖部２９は、熱的溶解（レーザ溶接、超音波溶接）により、若しくは２つのトランスデューサ３，４の組み立て状態における接着によって、又は例えばベース部２５から立ち上がるピン又はペグ４３（図４参照）によって、ベース部２５に固定可能である。この場合も、ピン４３上の閉鎖部２９の力のかかるシートだけでなく、これに加えてリベットタイプ構成による連結閉鎖を得るように熱的に、図４に示されるピン４３の端部を変形することが有利である。
【００２２】
ピン４３はまた、図示されるように、閉鎖部２９を図示のような閉鎖位置に維持するよう接合部２８が存在する場合にも有利となる。接合部２８が設けられない場合、同等の第３のピン（比較的小さな直径とする可能性あり）を、接合部２８が図４に示されるところのエッジに近い領域に設け、ベース部２５に、より厳密にはその直立壁２６に閉鎖部２９を固定するための全部で３つのピンを得るようにしてもよい。
【００２３】
図１ないし図５に示される実施例における保持手段２における２つのトランスデューサ３，４の実装は、閉鎖部２９が接合部２８に対してヒンジアップされ、これにより、トランスデューサ３すなわち耳カバー型トランスデューサがその穴あき金属カバー２２が開口部２３を通じて視認可能となるように、中心付けされて挿入され、他のトランスデューサ４すなわちハンドフリー型トランスデューサは、その合成リング１８にフック部２７の下において突起部４４（図１参照）が設けられるように挿入さる。そしてトランスデューサ４は、その突起状位置決め素子３８とともに閉鎖部２９の重複部３６におけるもう片方の位置決め部３７として設けられた開口部と厳密に位置合わせされ、閉鎖部２９は、図１及び図２に示されるようにその動作位置へヒンジダウンさせられ、これにより、ピン４３（図４参照）を越えて重複部３６における開口部（図示せず）により通過させられる。重複部３６におけるそれぞれの開口部の各ピン４３のシート部は、緊密に適合するので、さらなる処理は不要となる。何故ならば、接合部２８として設けられたフィルムヒンジも閉鎖部３６を閉鎖位置に維持するようなバイアス張力を奏するからである。但し、上記したようにピン４３の端部を熱的に変形し、又は閉鎖部２９とベース部２５の直立壁２６との固定された接続をなすために熱的溶解をなすことが考えられる。
【００２４】
図３における破線は、接触表面３２，３３からトランスデューサ４の収納スペース１６へ至る導電接続手段４０が弾性接触ブラケット４５を介してトランスデューサ接続端子に接続されることを模式的に示している。
【００２５】
図１から見て取れるのは、最終的に、保持手段２のベース部２５の下側が開口部２３，２４だけを外したままとする両側接着薄膜４６により被覆され、この薄膜が保持手段２をハウジング７におけるそのシート部１１に貼り付ける作用をなす点である。
【００２６】
図６ないし図８は、本発明による保持装置１の第２の実施例を示しており、図１ないし図５のものとは次の点で異なる。すなわち、ここでは２つのトランスデューサ３，４は、互いに逆の音声出力方向をもって保持手段２に配される。すなわち、２つのトランスデューサ３，４のトランスデューサ軸は、互いに逆の方向に延びている（図６の矢印５′及び６参照）。この実施例において、ベース部２５には段差すなわちレベル差３５′（図１ないし図５の実施例における閉鎖部２９の段差３５に相当する）が設けられ、これに隣接して、トランスデューサ３，４の電気的接続のための接触表面３０，３１，３２，３３を有する接触領域３４′が、トランスデューサ３（耳カバー型トランスデューサ）の領域においてすなわち図１及び図２におけるものと同じ原理に従って、設けられる。閉鎖部２９は、ここでは図６の描写におけるフック部２７の上側とともに１つの面におけるその上側の役目を担う。フック部２７には、閉鎖部２９のように、適合するハウジング（図６ないし図８には示されない）における実装のために両面接着薄膜４６′が設けられる。また、両面接着薄膜４６をトランスデューサ４（ハンドフリー型トランスデューサ）の領域においてベース部２５の下側に設け、保持手段２を固定するためにこの位置においても当該ハウジング（図示せず）における粘着接続をなすようにしてもよい。さらに、フィルムヒンジ２８が図６、図７及び図８において示されており、トランスデューサ３，４を実装するためにヒンジアップされ、再び図示の動作位置へヒンジダウンされることを可能としており、さらにトランスデューサ４には、ここでも、位置決め素子３７，３８が閉鎖部２９に対するトランスデューサ４の固定のために存在するという事実にかかわらず、フック部２７と共働動作のために突出部４４を有する合成リング１８が設けられる。図７からはさらに、図１ないし図５の実施例とは対照的に、ピン５３は、閉鎖部２９上に設けられ、保持手段２が閉められたときにベース部２５における開口部にそれらの端部とともに収容される。
【００２７】
図６ないし図８の実施例は、他の側面については図１ないし図５のものと対応しているので、説明の繰り返しは不要である。完全を来すため、トランスデューサ４の穴あき金属カバー２０及びこの下に存在しかつ図６において視認可能な膜４７は、ここで注記される。
【００２８】
図９ないし図１１は、改変された保持手段２を有する本発明による保持デバイス１の第３実施例を示しており、互いに逆の音声出力方向５′，６をもって２つのトランスデューサ３，４の背中合わせでの実装をなすよう構成され、２つのトランスデューサ３，４のトランスデューサ軸が互いに逆方向に延びている。このような実施例は、装置すなわち装置ハウジングにおいて比較的小さなベース及び実装表面領域で済ますことを可能とするが、トランスデューサ３，４が他方の頂部上に一方を載せて配されるので、この構成上の高さは大きなものとなる。この配置は、多くの用途において、特にヒンジ動作するカバーを有する移動電話機にも、カバーのない移動電話機にも特に有利となりうる。図１ないし図５及び図６ないし図８の実施例は特に、移動電話機の平坦なヒンジ動作カバーに対しての組み込みに適している。
【００２９】
図９ないし図１１の保持手段２はまた、ベース部２５とこれに接合部２８（ここでもフィルムヒンジ）を介して接続される閉鎖部２９とを有し、この閉鎖部２９がここでも略平面状としているが、トランスデューサ３（耳カバー型トランスデューサ）の収納空間１５として湾曲壁セグメント４８（図１０参照）によって形成された仕切り部を有している。壁セグメント４８は、フック部４９としてのフック状エッジによりトランスデューサ３の肩部５０を把持してスナップ閉鎖部として機能し、これによりトランスデューサ３をその収納スペース１５の中に固定して保持している。閉鎖部２９はさらに、図９及び図１１に示されるフック形スナップ素子５１を支持しており、この素子は、ベース部２５及び閉鎖部２９が互いに向かい合ってヒンジ動作させられたときにベース部２５と一体的に形成されたブロック５３における開口部５２を通り、この後方を握る。閉鎖部２９は、スナップ素子５１がベース部に対向する側において突出する元となる平面状接触領域延長部５４を有するのに対して、反対側ではまた、接触表面を持つ共通接触領域３４″が設けられる（特に図１０に示されるが、簡明とするために詳細は示されていない）。図９及び図１０はさらに、トランスデューサ４（ハンドフリー型トランスデューサ）がその合成樹脂リング１８上に設けられた突出部４４′によりベース部２５における開口部を通過し、この突出部は、図１ないし図５及び図６ないし図８の実施例における突出部４４に相当するものであり、回転しないように当該トランスデューサをロックする。加えて、閉鎖部２９は、ここでも位置決め素子を有し、もってトランスデューサ４の合成樹脂リング１８上の突出位置決め素子３８′との共働動作のためのロック凹部３７′（図９参照）の形態を採っている。
【００３０】
最後に、装置ハウジングにおける保持のための両面接着薄膜すなわち粘着性テープ４６，４６′が両側に、すなわちベース部２５の底部表面上と耳カバー型トランスデューサ３の金属カバー上とに設けられる。
【００３１】
２つの電気音響トランスデューサ３，４は、保持手段２によって小型保持デバイスへ機械的かつ電気的に一体化され、この装置は、容易に操作されることが可能な運搬及び組み立てユニットを形成する。すなわち、２つの個別のトランスデューサ３，４は、バッチ生産形態を採って組み込まれるが、単一の部品が運搬及び組み立てのために利用可能となる。ここでの保持手段２は、装置の組み立てにおける搬送及び取り扱いの両方において２つのトランスデューサ３，４の良好な機械的保護を守る。トランスデューサ３，４は、異なる直径及び高さを有し、保持手段２だけがその収納スペース１５，１６の寸法規定に関して適切に適合されなければならないようにしているとともに、保持手段２の外部寸法を同じままに維持するので、装置の仕切り寸法がこの装置における組み込みのために固定可能となる。保持手段２の外部寸法は、他の観点において当該装置におけるそれぞれの構成上の条件に容易に適応させられることは明らかである。装置製造業者におけるトランスデューサの実装は、互いに別々のトランスデューサが設けられ用いることが可能となるという事実にかかわらず、かかる保持デバイスによって十分に簡単なものとされる。これら別個のトランスデューサはまた、ここでは耳カバー型トランスデューサ（比較的小さな音声ボリューム）と比較してハンドフリー型トランスデューサ（比較的大きな音声ボリューム）を備えた移動電話機における場合のように、ラウドスピーカの場合における音響信号の音声ボリュームに関して異なる特性を持つことができるという利点がある。トランスデューサの同相又は逆相制御についての回路上の方策は、引用したＷＯ ０１／１７２０１ Ａ２において説明されているように、冗長性のあるものとなりうる。
【００３２】
広範囲にわたる種々の技術が上述したように保持手段２におけるトランスデューサ３，４を保持するために用いることが可能であり、これには特に、例えばアダプタ又は保持手段２の部分間における、特に閉鎖部２９とベース部２５との間における連結及び／又は強制接続が含まれる。また、図示したような４つの接触表面３０ないし３３に代えて、共通の接触表面又は接続電極（特に接地接続に対して）が設けられる場合は、３つの接触表面だけで足りる（２つのトランスデューサ３，４が組み立てられる場合）。保持手段２は、図面に示した幾何学的形状に限定されるものではなく、これに代わって、２つのトランスデューサが概ね同じサイズで保持手段２が平面図において同じサイズの２つの円に対応する楕円形状を有する場合におけるが如く、収納されるべきトランスデューサの寸法に応じて代替の幾何学的形状を用いることができる。さらに、図３及び図４並びに図７において特に見てとれるように、通気開口５５を保持手段２に設けてもよい。
【００３３】
ラウドスピーカとして構成された２つのトランスデューサ３，４及びこれに加えてマイクロフォンとして構成されたトランスデューサを、本発明による保持デバイス１に設けてもよい。
【図面の簡単な説明】
【００３４】
【図１】本発明による保持手段の図３において概ね線Ｉ−Ｉで切断した長手断面図であって、保持手段が２つの電気音響トランスデューサを収容し断面で模式的に示したハウジング内に描かれ、当該ハウジングが装置特に移動電話機の一部を構成することを示す図。
【図２】図１のものと同様に示す図であるが、より明瞭にするために大きな縮尺で表わされた図１の保持手段の接触表面及び電気的接続部を示す図。
【図３】ハウジングのない図１のトランスデューサを有する保持手段の平面図。
【図４】挿入される２つのトランスデューサを有する図１から図３の保持手段の不等角投影図。
【図５】図１から図４におけるが如きトランスデューサを有する保持手段の図４とは異なるポイントから見た透視図。
【図６】図７において線ＶＩ−ＶＩで切断した長手断面にて図１のものと同様にハウジングのない挿入される２つのトランスデューサを有する改変された保持手段を示す図であって、図１ないし図５の実施例とは対照的に２つのトランスデューサのトランスデューサ軸が互いに逆の方向に延び２つのトランスデューサが互いに逆の音声放出方向を有するものの図。
【図７】図６のトランスデューサを有する保持手段の底面図。
【図８】保持手段の上側から見た図６及び図７のトランスデューサを有する保持手段の透視図。
【図９】２つのトランスデューサが背中合わせに配される他の保持手段の長手断面図。
【図１０】下から見た図９の保持手段の透視図。
【図１１】上から見た図９の保持手段の透視図。
【図１】
2006519550.tif 000003
【図２】
2006519550.tif 000004
【図３】
2006519550.tif 000005
【図４】
2006519550.tif 000006
【図５】
2006519550.tif 000007
【図６】
2006519550.tif 000008
【図７】
2006519550.tif 000009
【図８】
2006519550.tif 000010
【図９】
2006519550.tif 000011
【図１０】
2006519550.tif 000012
【図１１】
2006519550.tif 000013
【国際調査報告】
2006519550.tif 000014
2006519550.tif 000015
2006519550.tif 000016